(57)【要約】  本発明は、ワイパブレードであって、ワイパリップ（１６）を備えたゴム成形体（１２）と、少なくとも１つの支持エレメント（２０）とから形成されており、中央領域で接続装置（２２）を介してワイパアームの一方の端部に枢着的に結合することができ、接続装置（２２）は爪（２６）で支持エレメント（２０）を側方から、かつワイパリップ（１６）に面した側面から取り囲んでおり、軸方向でワイパブレードのワイパ条片（１０）上で固定されている形式のものに関する。接続装置（２２）が、ワイパ条片（１０）の頭部条片（１４）に面した側に室（３６）を有しており、該室の、頭部条片（１４）に隣接する壁がばね弾性的な舌片（３８）として形成されていて、この舌片は組み付け状態で、端面から室（３６）内に押し込まれるロックバー（４２）によって頭部条片（１４）に押し付けられることが提案される。
2008522889.tif 000002
【特許請求の範囲】
【請求項１】
ワイパブレードであって、ワイパリップ（１６）を備えたゴム成形体（１２）と、少なくとも１つの支持エレメント（２０）とから形成されており、接続装置（２２）を介してワイパアームの一方の端部に枢着的に結合することができ、接続装置（２２）は爪（２６）で支持エレメント（２０）を側方から、かつワイパリップ（１６）に面した側面から取り囲んでおり、軸方向でワイパブレードのワイパ条片（１０）上で固定されている形式のものにおいて、
接続装置（２２）が、ワイパ条片（１０）の頭部条片（１４）に面した側に室（３６）を有しており、該室の、頭部条片（１４）に隣接する壁がばね弾性的な舌片（３８）として形成されていて、この舌片は組み付け状態で、端面から室（３６）内に押し込まれるロックバー（４２）によって頭部条片（１４）に押し付けられることを特徴とするワイパブレード。
【請求項２】
舌片（３８）が突部（４０）を有しており、該突部が組み付け状態で頭部条片（１４）に係合する、請求項１記載のワイパブレード。
【請求項３】
ロックバー（４２）が、室（３６）に押し込まれる端面に楔形状を有しており、その楔面が頭部条片（１４）に対して傾けられて延びている、請求項１又は２記載のワイパブレード。
【請求項４】
ロックバー（４２）がばね舌片（４６）を有しており、該ばね舌片の係止エレメント（４８）が、前記室（３６）に設けられた係止凹部（５０）に係合する、請求項１から３までのいずれか１項記載のワイパブレード。
【請求項５】
接続装置（２２）が側壁（２４）を有しており、これらの側壁には爪（２６）が一体成形されており、これらの側壁は前方部分でフロント壁（３４）によって互いに結合されており、駆動側の端部でカバー（２８）とともに前記室（３６）を形成しており、該室は駆動側に向かって開かれている、請求項１から４までのいずれか１項記載のワイパブレード。
【請求項６】
フロント壁（３４）に、ワイパブレードに対して横方向に延びる支承ローラ（３０）が一体成形されていて、該支承ローラは室（３６）に向かって、ワイパアームの相応に湾曲された端部のための開口（３２）を有している、請求項５記載のワイパブレード。
【発明の詳細な説明】
【技術分野】
【０００１】
先行技術
本発明は、請求項１の上位概念に記載の形式のワイパブレードに関する。
【０００２】
ドイツ連邦共和国特許出願公開第１９９２４６６２号明細書により公知の、ワイパブレードを備えたウィンドウワイパは、いわゆる「サイドロックシステム」を介してワイパアームに枢着的に結合されている。このために接続エレメントが働き、この接続エレメントは、一体成形された形状接続エレメントで、支持エレメントとして働くワイパブレードのばねレールを側方、および下方から取り囲む。プラスチックから成るカバーキャップは、通常薄板から成る接続エレメントをカバーする。この接続エレメントは、一体成形された爪が、組み付け時に支持エレメントに押し付けられ、これにより支持エレメントの長手方向で摩擦接続的に固定されているので薄板爪とも言われる。溶接または接着による固定も公知である。ワイパアームの自由端部、例えばワイパアームのワイパロッドに結合された結合エレメントは支承ピンを有しており、該支承ピンは、側方で、ワイパアームの長手方向に対して横方向に、ワイパブレードに向けられて結合エレメントに挿入され、有利には溶接またはリベット接続されている。支承ピンは接続エレメントに設けられた支承孔に旋回可能に支承されている。結合エレメントは鋳造技術または射出成形技術により支承ピンおよび固定エレメントと一緒に、Ｕ字形部材の形状で別個に１つの部分として製造することができ、横断面で見て方形のワイパアームのワイパロッドの端部に押し込まれ、ここに固定される。
【０００３】
結合エレメントには、支承ピンに対して平行に、長手方向で駆動端部に向かってずらされたＵ字形部材が配置されている。このＵ字形部材の自由端部はワイパブレードの側面に向かって屈曲されている。ワイパアームの長手方向に対して横方向にワイパブレードが保持されている組み付け位置で、支承ピンを、接続エレメントに設けられた支承孔に押し込むことができる。次いでワイパブレードがワイパアームの長手方向に対して平行に回転されると、Ｕ字形部材はカバーキャップと接続エレメントとに係合し、接続エレメントを屈曲された端部でロックする。これによりカバーキャップの側方のガイド面は組み付けられた状態で、ブリッジエレメントの屈曲された端部と、結合エレメントの反対側の面との間にガイドされる。Ｕ字形部材はワイパブレードの運転位置で、カバーキャップの上面に相応に設けられた溝内に沈み込み、ほぼ同一平面状をなしている。組み外しのためにはワイパブレードを、屈曲された端部の係合が解除され、ワイパブレードが支承ピンから引き出すことができるようになるまで反対方向に旋回しなければならない。ワイパブレードはその表面にスポイラを有している。スポイラは、走行風が増加するにつれ、車両ウィンドウへのワイパブレードの押圧力を高める。
【０００４】
ドイツ連邦共和国特許出願公開第１９７５７８７２号明細書により公知のウィンドウワイパでは、そのワイパアームの自由端部に、ジョイント結合部を介して、ジョイントを有さないワイパブレードがトップロック結合の形式で解離可能に結合されている。ジョイント結合部は第１のカップリング部分を有しており、このカップリング部分はワイパブレードの支持エレメント上に固定されていて、フロント側で、側方に配置された２つの支承ピンの形のジョイント軸を有している。第１のカップリング部分は、ジョイント軸とは反対側の端部に、対応支承面を有しており、これは、ジョイント軸に向けられていて、第２のカップリング部分の支承面とともに対応支承部を形成する。
【０００５】
第２のカップリング部分はフロント側に開かれたハブを有している。このハブは側方のガイド壁に設けられていて、このハブには第１のカップリング部分の支承ピンが組み付け状態で支承されている。第２のカップリング部分は、開かれたハブとは反対側の端部でワイパアームに固定されている。開かれたハブは、ワイパアームに対して平行に自由端部の方向にずらされて向けられているので、ワイパブレードに固定された第１のカップリング部分は、ワイパアームに対して平行に、第２のカップリング部分の側方のガイド壁の間に、側方の支承ピンが開かれたハブの支承面に当接するまで押し込まれる。組み付け中、第１のカップリング部分のばね舌片に側方で可撓的に配置されている対応支承部に所属の支承面は内部に押し込まれ、第２のカップリング部分の対応する支承面を通過するとすぐに再び弾性的に外部に向かってもとの位置に戻される。対応支承部は、支承ピンが組み付け状態で開かれたハブから押し出されるのを防止する。
【０００６】
発明の効果
本発明によれば、接続装置が、ワイパ条片の頭部条片に面した側に室を有しており、この室のワイパ条片に隣接した壁がばね弾性的な舌片として形成されている。この舌片は組み付け状態でロックバーにより頭部条片に押し付けられる。ロックバーは組み付け時に端面から室内に押し込まれる。この場合、舌片が、組み付け状態でゴム弾性的な頭部条片に係合する突部を有していると有利である。ロックバーの組み付けを簡単にするために、ロックバーは、室に押し込まれる端面で楔形状を有しており、その面は頭部条片に対して傾けられて延びている。楔面によりロックバーは室に容易に導入することができ、舌片は頭部条片の方向に押し付けられる。組み付け状態では、舌片がロックバーの一方の扁平面に当接しているので、組み付け方向とは反対の力成分は生じず、ロックバーは外方に向かって押されない。付加的な固定装置としてロックバーは複数のばね舌片を有することができ、これらのばね舌片の係止エレメントは室の係止凹部に係合する。これによりロックバーは軸方向で室内で固定されている。組み外しのためにこれらのばね舌片は工具によって押し合わされ、または可能であれば手によって押し合わされることもできる。これによりロックバーは、係止エレメントが係止凹部から戻されるとすぐに室から外れることができる。
【０００７】
接続装置の本発明のような構成により簡単な組み付けが行われ、この場合、爪の領域での溶接、接着、圧刻加工過程を省くことができる。さらにこれにより接続装置をプラスチックから製造することができ、この場合、側壁に爪を一体成形することができる。側壁は前方部分でフロント壁により互いに結合されていて、駆動側の端部にカバー壁とともに駆動側に向かって開かれている室を形成する。本発明による接続装置は従って、汚染や腐食に対して保護するためのカバーキャップや、空気力学的またはデザイン的な理由によるカバーキャップを必要としない。接続装置は通常の支承エレメントを有しており、この支承エレメントは、サイドロック原理またはトップロック原理によるワイパアームとの枢着的な結合のために使用される。有利な手段は、フロント壁に、ワイパブレードに対して横方向に延びる支承ローラが一体成形されており、この支承ローラは室に向かって、相応に湾曲されたワイパアームの端部のための開口部を有している。ワイパアームの端部はこの開口に挿入され、支承ローラをトップロック原理に従って取り囲む。
【０００８】
図面
さらなる利点を以下に図面につき説明する。図面には本発明の実施例が示されている。図面、明細書、請求項は組み合わされた多数の特徴を有している。当業者はこれらの特徴を目的に応じて個々にも考慮することもできるし、有利であればさらに組み合わせることもできる。
【０００９】
実施例の説明
本発明のワイパブレードはワイパ条片１０と接続装置２２とを有しており、接続装置２２はワイパ条片１０のほぼ中央に配置されており、図示されていないワイパアームにトップロック原理で枢着的に接続するために使用される。しかしながら、接続装置２２には、このワイパブレードをサイドロック原理でワイパアームに枢着的に接続するために支承孔を設けることもできる。
【００１０】
ワイパ条片１０は主として、ワイパリップ１６を備えたゴム成形体１２から成っており、このワイパリップ１６はウエブ１８を介して頭部条片１４に結合されている。頭部条片１４の中央通路には１つのばねレール２０が配置されていて、これはワイパ条片１０の支持エレメントとして働き、ワイパアームの押圧力のもとで、ワイパリップの全長にわたって適当な圧力分配を生ぜしめるために予め湾曲されている。
【００１１】
中央の１つのばねレール２０の代わりに、頭部条片１４の２つの側方の溝に挿入される２つのばねレールが設けられても良い。基本的に薄板爪とカバーキャップとから成る接続装置２２は図２の構成では一体的にプラスチックから製造されている。フロント壁３４とカバー２８とによって互いに結合されている接続装置の２つの側壁２４には頭部条片１４に面して爪２６が一体成形されている。これらの爪２６はゴム成形体１２の側方の長手方向溝５２内に係合して、頭部条片１４とばねレール２０とを取り囲んでいる。ばねレール２０と、ばねレール２０に対応する頭部条片１４の部分とは両側壁２４の間でガイドされている。
【００１２】
側壁２４とカバー壁２８とは、端面に向かって開かれた室３６を形成しており、室３６の、頭部条片１４に対して平行に延びる壁はばね弾性的な舌片３８として形成されている。この舌片３８は組み付けの際にロックバー４２によって頭部条片１４の背面に押し付けられ、これにより接続装置２２は爪２６と舌片３８との間に堅固にクランプされ軸方向で位置固定されている。舌片３８は頭部条片１４に向かって突部４０を有しており、この突部４０は、ロックバー４２の組み付けの際に頭部条片１４内に押し込まれ、これにより摩擦接続的な結合の他に形状接続的な結合も形成される。
【００１３】
ロックバー４２の組み付けを簡単にするために、ロックバーの、組み付け方向で見て前方に位置する端面が楔状に尖って形成されている。この場合、楔面は頭部条片１４の背面に対して傾けられて延びている。これにより僅かな力で舌片３８を頭部条片１４に対して押し付けることができ、組み付け状態では舌片３８はロックバー４２の扁平な面に当接しているので、ロックバー４２は運転中、室３６から滑脱することはない。付加的にロックバー４２は有利にはばね舌片４６によって固定される。この場合、ばね舌片４６は、ロックバー４２の中央のブロックバー４４の側方に延びていて、係止エレメント４８で室３６の係止凹部５０に係合している（図７）。
【００１４】
ワイパアームとの枢着結合のために、支承エレメントとして支承ローラ３０が働く。この支承ローラ３０は有利には駆動側の端部に面してフロント壁３４に一体成形されており、端面側で側壁２４に結合されている。フロント壁３４には、室３６の壁に開口３２が設けられており、この開口３２には、ワイパアームの相応に成形された端部が挿入され、支承ローラ３０を取り囲むことができる。ワイパアームの端部は組み付け状態で側方で、側壁２４の内面の間に側方でガイドされている。支承ローラ３０の代わりに、またはこれに付加的に、接続装置２２がハブを有していても良い。このハブによって、ワイパアームはサイドロック原理によりワイパブレードに結合することができる。接続装置２２が１つだけのハブを有しているならば、フロント壁３４が駆動側の端壁まで案内されており、ほぼ閉じられたデザインが形成されると有利である。
【図面の簡単な説明】
【００１５】
【図１】ワイパブレードのワイパ条片を示す部分的な斜視図である。
【図２】接続装置を示す斜視図である。
【図３】ロックバーを示す斜視図である。
【図４】ワイパ条片と接続装置の部分縦断面を示す分解図である。
【図５】接続装置とワイパ条片の部分縦断面図を組み付け前のロックバーと共に示した図である。
【図６】組み付けられた接続装置と共に示したワイパ条片の部分縦断面図である。
【図７】図６のＶＩＩ−ＶＩＩ線に沿った断面図である。
【図１】
2008522889.tif 000003
【図２】
2008522889.tif 000004
【図３】
2008522889.tif 000005
【図４】
2008522889.tif 000006
【図５】
2008522889.tif 000007
【図６】
2008522889.tif 000008
【図７】
2008522889.tif 000009
【国際調査報告】
2008522889.tif 000010
2008522889.tif 000011
2008522889.tif 000012
2008522889.tif 000013
2008522889.tif 000014
2008522889.tif 000015